(57)【要約】  【課題】誰にでも簡単に使いこなすことが可能であり、且つ、閉鎖操作及び開離操作を容易に行うことが可能な開離嵌挿具付きスライドファスナーを提供する。  【解決手段】左右のファスナーテープ(2)のファスナーエレメント列(4)にスライダー(30)が挿通され、一方の前記ファスナーテープ(2)に設けられた嵌込体(10,43,53,63,73)と、他方の前記ファスナーテープ(2)に設けられ、前記嵌込体(10,43,53,63,73)を係止する枢止体(20,44,54,64,74)とを有する開離嵌挿具(5,42,52,62,72)を備えてなる開離嵌挿具付きスライドファスナー(1,41,51,61,71)であって、前記枢止体(20,44,54,64,74)は、前記嵌込体(10,43,53,63,73)をその側部から嵌め込むことにより回転自在に係止可能であり、且つ、前記嵌込体(10,43,53,63,73)を前記スライダー(30)の肩口からエレメント案内路(35)を介して挿入することによっても回転自在に係止可能である枢止部(23,46,58,68,75)を有している。  【選択図】図１
2008043568.tif 000002
【特許請求の範囲】
【請求項１】
左右一対のファスナーテープ(2)の対向側縁に取り付けられたファスナーエレメント列(4)にスライダー(30)が挿通され、一方の前記ファスナーテープ(2)の前記ファスナーエレメント列(4)端部に設けられ、被枢止部(12,55,66)を備えた嵌込体(10,43,53,63,73)と、他方の前記ファスナーテープ(2)の前記ファスナーエレメント列(4)端部に設けられ、前記嵌込体(10,43,53,63,73)の前記被枢止部(12,55,66)を係脱可能であるとともに前記スライダー(30)の下止として機能する枢止体(20,44,54,64,74)とを有する開離嵌挿具(5,42,52,62,72)を備え、前記スライダー(30)は、案内柱(33)と、前記案内柱(33)に連結された上翼板(31a)及び下翼板(31b)と、前記上翼板(31a)及び／又は前記下翼板(31b)の左右側縁に立設されたフランジ部(32a,32b)と、前記上翼板(31a)、前記下翼板(31b)、及び前記フランジ部(32a,32b)により囲まれ、後口から肩口に向けて前記案内柱(33)により２股に分岐したＹ字状のエレメント案内路(35)とを有してなる開離嵌挿具付きスライドファスナー(1,41,51,61,71)であって、
前記枢止体(20,44,54,64,74)は、前記被枢止部(12,55,66)を前記枢止体(20,44,54,64,74)の側部から嵌め込むことにより回転自在に係止可能であり、且つ、前記被枢止部(12,55,66)を前記スライダー(30)の前記肩口から前記エレメント案内路(35)を介して挿入することによっても回転自在に係止可能である枢止部(23,46,58,68,75)を有してなることを特徴とする開離嵌挿具付きスライドファスナー。
【請求項２】
前記嵌込体(10,43,53,63,73)は、一方の前記ファスナーテープ(2)の表裏両面に一体に形成され、そのテープ端部側先端部に前記被枢止部(12,55,66)が配された薄板状の嵌込板部(11,45,65)を有し、
前記枢止体(20,44,54,64,74)は、他方の前記ファスナーテープ(2)の表裏両面に一体に形成され、前記スライダー(30)を保持するスライダー保持部(21)を有し、
前記枢止部(23,46,58,68,75)は、前記スライダー保持部(21)のテープ端部側に段部(22)を介して厚肉に形成され、前記スライダー保持部(21)からテープ端部側に延在し、更に前記嵌込体(10,43,53,63,73)側に向けて湾曲した略Ｊ字状内面(24)と前記枢止体(20,44,54,64,74)の側部から前記略Ｊ字状内面(24)に向けて前記被枢止部(12,55,66)を嵌入することが可能な枢動空間(28)とを有し、且つ、前記略Ｊ字状内面(24)に前記被枢止部(12,55,66)を係止可能であり、
前記被枢止部(12,55,66)のテープ表裏方向における肉厚は、前記スライダー(30)の前記エレメント案内路(35)の高さ方向の間隔よりも小さく形成され、且つ、前記嵌込板部(11,45,65)の肉厚は、前記スライダー(30)の前記フランジ部に設けられた隙間の間隔よりも小さく形成されてなる、
請求項１記載の開離嵌挿具付きスライドファスナー。
【請求項３】
前記被枢止部(12,55)は、前記嵌込板部(11,45)からテープ表裏方向に突設された円柱状の枢軸(12a)を有してなる請求項２記載の開離嵌挿具付きスライドファスナー。
【請求項４】
前記被枢止部(66)は、前記嵌込板部(65)の表裏面と面一に、且つ、円弧状に形成されてなる請求項２記載の開離嵌挿具付きスライドファスナー。
【請求項５】
前記スライダー保持部(21)の前記嵌込板部(11,45,65)に対向する側面には前記嵌込板部(11,45,65)を嵌合可能な嵌込板部嵌合凹溝(26)が形成されてなる請求項２〜４のいずれかに記載の開離嵌挿具付きスライドファスナー。
【請求項６】
前記枢止部(23,46,58,68,75)の前記略Ｊ字状内面(24)の一部にも、前記嵌込板部嵌合凹溝(26)が更に形成されてなる請求項５記載の開離嵌挿具付きスライドファスナー。
【請求項７】
前記枢止部(58)の前記略Ｊ字状内面(24)に、前記被枢止部(55)を嵌合可能な被枢止部嵌合凹溝(57)が形成され、前記被枢止部嵌合凹溝が前記枢動空間(28)を構成してなる請求項２〜６のいずれかに記載の開離嵌挿具付きスライドファスナー。
【請求項８】
前記枢止部(23,46,58)は、前記略Ｊ字状内面(24)から外周面に貫通させてなるスリット(27,47)を有し、前記スリット(27,47)の溝幅が前記嵌込板部(11,45)の肉厚よりも大きく形成されてなる請求項２〜７のいずれかに記載の開離嵌挿具付きスライドファスナー。
【請求項９】
前記嵌込板部(11,65)は、そのテープ端部側からテープ内方に向けて切り込まれた切欠き部(16,67)を有してなる請求項２〜８のいずれかに記載の開離嵌挿具付きスライドファスナー。
【発明の詳細な説明】
【技術分野】
【０００１】
本発明は、左右のファスナーテープの一端部に開離嵌挿具を備えた開離嵌挿具付きスライドファスナーに関するものであり、特に、開離嵌挿具が嵌込体と枢止体とを備えており、前記嵌込体を前記枢止体に対して２通りの係止操作により係止させることが可能な構造を有する開離嵌挿具付きスライドファスナーに関する。
【背景技術】
【０００２】
従来から、スライドファスナーの開離嵌挿具の１つとして、左右一対のファスナーストリンガーの一方に形成した嵌込体を、他方のファスナーストリンガーに形成した係止体に対して、スライダーのエレメント案内路内を通過させることなく、係止体の側部から挿入して係止させることが可能なサイドオープンタイプの開離嵌挿具が知られている。また、例えば実公昭５９−２５２２７号公報（特許文献１）に、このようなサイドオープンタイプの開離嵌挿具に関する発明が開示されている。
【０００３】
前記特許文献１に開示されているサイドオープンタイプの開離嵌挿具は、開離嵌挿具の係止体と嵌込体とが左右のエレメント列の端部に互いに対向するように固着されている。前記係止体は、ファスナーテープの表裏両面に形成されて前記スライダーを保持するスライダー保持部と、前記スライダー保持部のテープ端部側に同スライダー保持部よりも厚肉に形成され、前記嵌込体を係止する嵌止部と、前記スライダー保持部の側面及び前記嵌止部の内側側面に形成された凹溝と、前記凹溝の中間部で突出した突子とを有している。また、前記嵌止部は、同嵌止部の嵌込体側側面から中央部に向けて逆Ｌ字形状に形成された支持孔が、嵌止部の表裏面を貫通して切り込まれており、正面視で逆Ｃ字形状を有している。
【０００４】
前記嵌込体は、係止体が有する前記凹溝に嵌合する厚さで形成された嵌込板部と、この嵌込板部の係止体側側面に前記突子に対応する形状で凹部が設けられている。また、嵌込板部のテープ端部側には、同嵌込板部よりも厚肉の丘部が設けられており、この丘部には、テープ表裏両面に突出した枢支ピンが設けられている。
【０００５】
上記のような構成を有するサイドオープンタイプの開離嵌挿具付きスライドファスナーは、左右のファスナーストリンガーを閉鎖する場合に、先ずスライダーを係止体の嵌止部に当接する位置まで摺動させて衝合させた後、嵌込体の枢支ピンを係止体の支持孔内に挿入する。このとき、係止体の嵌止部は逆Ｃ字形状を有しているため、嵌込体の枢支ピンが支持孔の末端部で安定して軸支される。次に、枢支ピンが支持孔に挿入されている嵌込体を、枢支ピンを中心にして係止体に向けて回動させることによって、嵌込体の嵌込板部をスライダーの上下フランジ間からスライダー内部に挿入する。これにより、左右のエレメント列は、安定した噛合が行えるように位置決めされる。その後、スライダーをエレメント噛合方向に摺動させる（引き上げる）ことにより、左右のエレメント列を互いに噛合させてスライドファスナーを閉鎖する。
【０００６】
また、サイドオープンタイプの開離嵌挿具付きスライドファスナーを開離する場合には、スライダーを開離嵌挿具へ向けて摺動させて係止体の嵌止部に当接させた後、枢支ピンを中心にして嵌込体を係止体から離れるように回動させることによって、嵌込体の嵌込板部をスライダーから抜脱させる。更にその後、嵌込体の枢支ピンを係止体の支持孔から引き出されることにより、左右のファスナーストリンガーが互いに分離される。
【０００７】
このようにサイドオープンタイプの開離嵌挿具を備えたスライドファスナーであれば、嵌込体の枢支ピンを係止体に形成した支持孔へ挿入して嵌込体を回動させることにより、また、支持孔へ挿入した枢支ピンを係止体から抜脱させることにより、左右のファスナーストリンガーの位置決めや分離を行うことができる。これにより、前記スライドファスナーは、例えば蝶棒、箱棒、及び箱体を有する一般的な開離嵌挿具を備えたスライドファスナーのような蝶棒を箱体に嵌め込む際に蝶棒をスライダー内に挿通させるといった操作が必要とされないため、開離嵌挿具の操作性が向上し、左右のファスナーストリンガーの閉鎖や分離の操作を非常に容易に行うことができる。
【０００８】
従って、サイドオープンタイプの開離嵌挿具は、例えばスライドファスナーの操作を片手で行うことが求められる製品、開離嵌挿具の位置を直接視認できず、手探りでスライドファスナーの操作を行う製品、更には、細かい作業を行い難い環境でスライドファスナーの操作が求められる製品等に対して好適に利用することが可能である。
【特許文献１】実公昭５９−２５２２７号公報
【発明の開示】
【発明が解決しようとする課題】
【０００９】
前記特許文献１に記載されているようなサイドオープンタイプの開離嵌挿具は、蝶棒、箱棒、及び箱体を有する一般的な開離嵌挿具に比べて、前述のように、スライドファスナーの閉鎖操作及び分離操作をより容易に行うことが可能であり、その利便性に優れている。しかしながら、サイドオープンタイプの開離嵌挿具は、蝶棒等を有する一般的な開離嵌挿具とは係止・抜脱する操作方法が全く相違している上に、一般的な開離嵌挿具に比べてユーザーの認知度が低く、あまり知られていない。
【００１０】
このため、サイドオープンタイプの開離嵌挿具を備えたスライドファスナーは、閉鎖や開離の操作自体は容易であるにも関わらず、蝶棒等を有する一般的な開離嵌挿具に慣れているユーザーにとってはサイドオープンタイプの開離嵌挿具の操作に手間取ることがある。従って、サイドオープンタイプの開離嵌挿具の操作に慣れるまでの間は、例えば嵌込体を係止体に係止する際に嵌込体をスライダー内に挿入しようしたり、嵌込体を係止体から抜脱させる際に嵌込体をスライダー側に強引に引っ張ろうとするため、却って使い勝手が悪くなるという問題があった。
【００１１】
本発明は上記従来の課題に鑑みてなされたものであって、その具体的な目的は、開離嵌挿具の使い易さを向上させることによって、誰にでも簡単に使いこなすことが可能であり、且つ、閉鎖操作及び開離操作を容易に行うことが可能な開離嵌挿具付きスライドファスナーを提供することにある。
【課題を解決するための手段】
【００１２】
上記目的を達成するために、本発明により提供される開離嵌挿具付きスライドファスナーは、基本的な構成として、左右一対のファスナーテープの対向側縁に取り付けられたファスナーエレメント列にスライダーが挿通され、一方の前記ファスナーテープの前記ファスナーエレメント列端部に設けられ、被枢止部を備えた嵌込体と、他方の前記ファスナーテープの前記ファスナーエレメント列端部に設けられ、前記嵌込体の前記被枢止部を係脱可能であるとともに前記スライダーの下止として機能する枢止体とを有する開離嵌挿具を備え、前記スライダーは、案内柱と、前記案内柱に連結された上翼板及び下翼板と、前記上翼板及び／又は前記下翼板の左右側縁に立設されたフランジ部と、前記上翼板、前記下翼板、及び前記フランジ部により囲まれ、後口から肩口に向けて前記案内柱により２股に分岐したＹ字状のエレメント案内路とを有してなる開離嵌挿具付きスライドファスナーであって、前記枢止体は、前記被枢止部を前記枢止体の側部から嵌め込むことにより回転自在に係止可能であり、且つ、前記被枢止部を前記スライダーの前記肩口から前記エレメント案内路を介して挿入することによっても回転自在に係止可能である枢止部を有してなることを最も主要な特徴とするものである。
【００１３】
特に、本発明に係る開離嵌挿具付きスライドファスナーにおいて、前記嵌込体は、一方の前記ファスナーテープの表裏両面に一体に形成され、そのテープ端部側先端部に前記被枢止部が配された薄板状の嵌込板部を有し、前記枢止体は、他方の前記ファスナーテープの表裏両面に一体に形成され、前記スライダーを保持するスライダー保持部を有し、前記枢止部は、前記スライダー保持部のテープ端部側に段部を介して厚肉に形成され、前記スライダー保持部からテープ端部側に延在し、更に前記嵌込体側に向けて湾曲した略Ｊ字状内面と前記枢止体の側部から前記略Ｊ字状内面に向けて前記被枢止部を嵌入することが可能な枢動空間とを有し、且つ、前記略Ｊ字状内面に前記被枢止部を係止可能であり、前記被枢止部のテープ表裏方向における肉厚は、前記スライダーの前記エレメント案内路の高さ方向の間隔よりも小さく形成され、且つ、前記嵌込板部の肉厚は、前記スライダーの前記フランジ部に設けられた隙間の間隔よりも小さく形成されていることが好ましい。
【００１４】
この場合、本発明のスライドファスナーにおいては、前記被枢止部が、前記嵌込板部からテープ表裏方向に突設された円柱状の枢軸を有していることが好ましい。その他に、本発明では、前記被枢止部が、前記嵌込板部の表裏面と面一に、且つ、円弧状に形成されていても良い。
【００１５】
また、本発明において、前記スライダー保持部の前記嵌込板部に対向する側面には前記嵌込板部を嵌合可能な嵌込板部嵌合凹溝が形成されていることが好ましく、更に、前記枢止部の前記略Ｊ字状内面の一部にも、前記嵌込板部嵌合凹溝が形成されていることが好ましい。
更に、前記枢止部の前記略Ｊ字状内面には、前記被枢止部を嵌合可能な被枢止部嵌合凹溝が形成され、前記被枢止部嵌合凹溝が前記枢動空間を構成していても良い。
【００１６】
更にまた、前記枢止部は、前記略Ｊ字状内面から外周面に貫通させてなるスリットを有し、前記スリットの溝幅が前記嵌込板部の肉厚よりも大きく形成されていること、また、前記嵌込板部は、そのテープ端部側からテープ内方に向けて切り込まれた切欠き部を有していることが好ましい。
【発明の効果】
【００１７】
本発明に係る開離嵌挿具付きスライドファスナーは、前述のように、開離嵌挿具の枢止体が、嵌込体の被枢止部を枢止体の側部から嵌め込むことにより回転自在に係止可能であり、且つ、嵌込体の被枢止部をスライダーの肩口からエレメント案内路を介して挿入することにより係止可能である枢止部を有している。また、本発明のスライドファスナーは、スライダーを前記枢止体に保持し、且つ、前記嵌込体の被枢止部を枢止体に係止した状態で、嵌込体をスライダーのフランジ部を介して前記エレメント案内路に挿入し、その後、スライダーを摺動させることによって左右のファスナーエレメント列を噛合させる。従って、本発明のスライドファスナーは、嵌込体の被枢止部を枢止体の側部から嵌め込んで枢止体に係止させる第１の係止操作と、嵌込体の被枢止部をスライダーのエレメント案内路を介して枢止体に挿入して係止させる第２の係止操作といった２種類の異なる係止操作を行うことが可能なように構成されている。
【００１８】
即ち、従来の開離嵌挿具付きスライドファスナーは、開離嵌挿具が１種類の係止操作及び抜脱操作を行うようにしか形成されておらず、開離嵌挿具を異なる２種類の操作で係止・抜脱させることはできなかった。そもそも、従来では、係止や抜脱を異なる２種類の操作によって行うように開離嵌挿具を構成するという発想がなかった。
【００１９】
これに対して、本発明の開離嵌挿具付きスライドファスナーは、従来のサイドオープンタイプの開離嵌挿具のような嵌込体の被枢止部を枢止体の側部から嵌め込むことにより枢止部に係止させるだけでなく、蝶棒等を有する一般的な開離嵌挿具と同じように、嵌込体の被枢止部をスライダーの肩口からエレメント案内路を介して枢止体に挿入することによっても枢止部に係止させることができるように構成したものである。これにより、本発明の開離嵌挿具付きスライドファスナーを使用するユーザーは、スライドファスナーを閉鎖するために嵌込体を枢止体に係止させるときに、前記第１の係止操作と、前記第２の係止操作とを任意に選択することが可能となる。
【００２０】
このため、例えばユーザーが本発明の開離嵌挿具付きスライドファスナーを使用するに際し、サイドオープンタイプの開離嵌挿具の操作に慣れていない場合は、嵌込体の被枢止部をスライダー内を介して枢止体に挿入することにより枢止部に係止させる第２の係止操作を行うことによって、開離嵌挿具の操作に手間取ることなく、スライドファスナーを円滑に閉鎖することができる。また、サイドオープンタイプの開離嵌挿具の操作に慣れている場合、又は慣れてきた場合には、嵌込体の被枢止部を枢止体の側部から嵌め込むことにより枢止部に係止させる第１の係止操作を行うことにより、スライドファスナーの閉鎖をより容易に行うことが可能となる。
【００２１】
更に本発明では、スライドファスナーを開離させる際にも、前記係止操作のときと同様に、ユーザーは開離嵌挿具を抜脱させる２種類の異なる操作のうちの何れかを任意に選択することができる。従って、本発明の開離嵌挿具付きスライドファスナーは、従来のサイドオープンタイプの開離嵌挿具付きスライドファスナーや、蝶棒等を有する一般的な開離嵌挿具付きスライドファスナーに比べて、開離嵌挿具の使い易さが大幅に向上し、利便性及び操作性に優れており、誰にでも簡単に使いこなすことができるスライドファスナーとなる。
【００２２】
このような本発明の開離嵌挿具付きスライドファスナーにおいて、前記嵌込体は、ファスナーテープの表裏両面に形成され、そのテープ端部側先端部に前記被枢止部が配された薄板状の嵌込板部を有している。また、前記枢止体は、前記枢止部の他にテープ表裏両面に一体に形成されたスライダー保持部を有し、前記枢止部は、前記嵌込体の被枢止部を回転自在に係止可能な略Ｊ字状内面と枢動空間とを有している。更に、被枢止部のテープ表裏方向における肉厚は、スライダーのエレメント案内路の高さよりも小さく形成され、且つ、嵌込板部の肉厚は、前記スライダーの前記フランジ部に設けられた隙間の間隔よりも小さく形成されている。本発明における嵌込体及び枢止体が上述のような構成を有することにより、本発明に係るスライドファスナーは、嵌込体の被枢止部を前述のような異なる２つの係止操作により枢止体に係止させ、また、嵌込体の被枢止部を異なる２つの抜脱操作により抜脱させる構造を確実に確保することができる。
【００２３】
本発明では、前記被枢止部が、嵌込板部から突設された円柱状の枢軸を有していることにより、前記第１の係止操作を行う際に、被枢止部を枢止体の側部から枢止部に安定して嵌め込んで係止することができ、更にその後、枢軸を中心に嵌込体を枢止体に向けて円滑に回動させることができる。また、前記第２の係止操作を行う際には、被枢止部をスライダー内に通過させて枢止部に安定して挿入し、係止させることができる。
【００２４】
またその他に、前記被枢止部は、前述のような嵌込板部から突設された円柱状の枢軸を有するものではなく、嵌込板部の表裏面と面一に、且つ、円弧状に形成された構成を有するものでも良い。このような構成を有する被枢止部によっても、前記第１の係止操作を行う際に、被枢止部を枢止体の側部から安定して嵌め込んで係止することができ、更にその後、被枢止部を中心に嵌込体を枢止体に向けて円滑に回動させることができる。また、前記第２の係止操作を行う際にも、前述と同様に、被枢止部を枢止部に安定して挿入し、係止させることができる。
【００２５】
また本発明において、スライダー保持部の嵌込板部対向側面に嵌込板部嵌合凹溝が形成されており、更には、枢止部の略Ｊ字状内面の一部にも嵌込板部嵌合凹溝が形成されている。これにより、嵌込体を枢止体に係止させる際には、嵌込板部嵌合凹溝に嵌込体の嵌込板部を嵌合させることにより、嵌込板部を枢止体の所定の位置に安定して案内することができ、また、スライドファスナーを閉鎖させたときには、嵌込体と枢止体の係止状態を安定させることができる。このため、例えばスライドファスナーを閉鎖させている状態で開離嵌挿具がテープ表裏面方向の力（突き上げ力）を受けても、開離嵌挿具の嵌込体が枢止体から簡単に外れることを防いで、その係止状態を安定して維持することができる。なお、前記嵌込板部嵌合凹溝は、スライダー保持部の嵌込板部対向側面、及び枢止部の略Ｊ字状内面の一部に連続的に形成されていても、或いは、間歇的に形成されていても良い。
【００２６】
更に、枢止部の略Ｊ字状内面に、被枢止部を嵌合可能で、且つ枢動空間を構成する被枢止部嵌合凹溝が形成されていることにより、第１及び第２の係止操作を行う際に、嵌込体をより確実に枢止体に係止させ、その係止状態をより安定して維持することができる。
【００２７】
更にまた、枢止部の略Ｊ字状内面から外周面に貫通させてなるスリットが形成されていること、及び／又は、前記嵌込板部に切欠き部が形成されていることにより、嵌込体を枢止体の側部から嵌め込んで係止させる際に、嵌込体と枢止体とが互いに干渉することを防いで、開離嵌挿具の係止操作を円滑に行うことができる。
【発明を実施するための最良の形態】
【００２８】
以下、本発明の実施形態について、実施例を挙げて図面を参照しながら詳細に説明する。なお、本発明は、以下で説明する各実施例に限定されるものではなく、本発明と実質的に同一な構成を有し、かつ、同様な作用効果を奏しさえすれば、多様な変更が可能である。例えば、下記実施例において、ファスナーエレメント及び開離嵌挿具が合成樹脂を射出成形することにより形成されたスライドファスナーについて説明を行っているが、本発明はこれに限定されず、例えばコイル状のファスナーエレメントや金属製の開離嵌挿具がファスナーテープに取り付けられたスライドファスナーであっても良い。
【実施例１】
【００２９】
図１は、本発明の実施例１に係る開離嵌挿具付きスライドファスナーの開離嵌挿具取付部位の要部を示した斜視図である。なお、以下においては、本発明をより解り易く説明するために、図１に示したスライドファスナー１に基づいて、スライダー３０をスライドファスナー１が閉鎖するようにテープ長手方向に沿って摺動させる向きを前方とし、スライドファスナー１が開離するように摺動させる向きを後方として規定する。また、スライドファスナー１を正面から見た場合に、ファスナーテープ２の幅方向において開離嵌挿具５の嵌込体１０が形成されている側を左方とし、枢止体２０が形成されている側を右方として規定する。
【００３０】
本実施例１に係る開離嵌挿具付きスライドファスナー１は、図１に示したように、左右一対のファスナーテープ２と、左右のファスナーテープ２の対向側縁に列設されたファスナーエレメント３と、ファスナーエレメント列４の一端部に設けられた開離嵌挿具５と、図１では図示が省略されたスライダー３０とを備えている。
【００３１】
前記ファスナーテープ２は、対向する側縁に芯紐部７を有しており、このファスナーテープ２の芯紐部７を含むエレメント取付縁部に沿って複数のファスナーエレメント３が一定の間隔をおいて列設されてファスナーエレメント列４が形成されている。前記ファスナーエレメント３は、ファスナーテープ２に固定される胴部と、胴部からテープ外方に向けて延出する頚部と、頚部の先端に設けられた膨大状の噛合頭部とを有しており、例えば従来から一般的に使用されているポリアセタール等の合成樹脂材料を所定形状に射出成形することによってファスナーテープ２に装着することができる。
【００３２】
前記スライダー３０は、従来から一般的に知られているものを使用することができ、例えば上翼板３１ａと、下翼板３１ｂと、上翼板３１ａ及び下翼板３１ｂの左右側端縁に沿って直交方向に配された上下フランジ３２ａ，３２ｂと、上翼板３１ａの前端側中央部と下翼板３１ｂの前端側中央部とを連結するように立設された案内柱３３と、上翼板３１ａ上に取り付けられた引き手３４とを有している。また、スライダー３０の後端側には後口を有するとともに、スライダー３０の前端側で案内柱３３の左右両側には肩口を有している。更に、このスライダー３０の内部には、上下翼板３１ａ，３１ｂと上下フランジ３２ａ，３２ｂとにより包囲されたエレメント案内路３５が形成されており、このエレメント案内路３５は、スライダー３０の後口から肩口に向けて案内柱３３によって２股に分岐してスライダー３０内をＹ字状に貫いている。なお、本発明において、前記スライダー３０は、例えば上翼板３１ａ及び下翼板３１ｂのうちの何れか一方における左右両側端縁にフランジ部が立設されているものであっても良い。
【００３３】
前記開離嵌挿具５は、左右のファスナーテープ２の下端に、ファスナーエレメント列４に連続する形で合成樹脂製の嵌込体１０と枢止体２０とを対向するように有している。
前記嵌込体１０は、一方（左側）のファスナーテープ２の表裏両面に一体に形成された薄板状の嵌込板部１１と、嵌込板部１１のテープ端部側先端部（後端部）に形成された被枢止部１２と、嵌込板部１１のテープ内側側縁に沿って形成された突条部１３と、嵌込板部１１の前端部にファスナーエレメント列４に連続して形成された噛合部１４と、嵌込板部１１の前記芯紐部７に対応する表面及び裏面の部位に形成された窪み部１５とを有している。
【００３４】
また、本実施例１において、嵌込体１０が形成されている左側のファスナーテープ２は、テープ端部側の一部が切り取られており、このファスナーテープ２が切り取られている部位に前記嵌込板部１１が後方に突出するように延設されている。この嵌込板部１１は、窪み部１５を除いて表裏面ともに平坦で、テープ表裏方向の肉厚がスライダー３０の上下フランジ３２ａ，３２ｂ間に設けられた隙間の間隔よりも小さく形成されている。また、嵌込板部１１には、テープ端部側からテープ内方（前方）に向けて切り込まれた切欠き部１６が設けられている。
【００３５】
前記被枢止部１２は、嵌込板部１１の延端部に、嵌込板部１１の表裏面から突設された円柱形状の枢軸１２ａを有している。この枢軸１２ａは、テープ表裏方向における肉厚がスライダー３０内部のエレメント案内路３５の高さ方向の間隔、即ち、スライダー３０内部の上翼板３１ａと下翼板３１ｂ間の間隔よりも小さく形成されている。
【００３６】
前記突条部１３は、嵌込板部１１よりも厚肉に形成されている。このような厚肉の突条部１３がテープ内側側縁に沿って形成されていることにより、嵌込体１０の強度を向上させることができ、更に、開離嵌挿具５を操作するユーザーに対して嵌込体を把持し易くさせることができる。
【００３７】
前記窪み部１５は、嵌込体１０を安定して成形でき、且つ、嵌込板部１１を平坦に形成するために、芯紐部７に対応する位置に形成されている。即ち、ファスナーテープ２の芯紐部７はファスナーテープ２よりも厚肉であるために、芯紐部７が形成されている部位に合成樹脂を成形して平坦な嵌込板部１１を形成すると、芯紐部７上に形成した部分の嵌込板部１１の肉厚が非常に薄くなる。このように嵌込板部１１の肉厚が局部的に薄くなると、例えば嵌込体１０の射出成形時に嵌込板部１１の薄肉部分において樹脂の流動が悪くなることや、強度が十分に得られなくなること等の不具合が生じることが考えられる。しかし、前記窪み部１５を形成することにより、嵌込板部１１に形成される薄肉部分が減少するため、上記のような不具合が生じることを効果的に防ぐことができる。
【００３８】
前記開離嵌挿具５の枢止体２０は、他方（右側）のファスナーテープ２の表裏両面に形成されたスライダー保持部２１と、スライダー保持部２１よりも段部２２を介して厚肉に形成され、略Ｊ字状内面２４及び枢動空間２８を備えた枢止部２３と、スライダー保持部２１よりもテープ内方に形成され、枢止体２０のファスナーテープ２への固着強度を高めるための補強部２５と、スライダー保持部２１の嵌込板部１１に対向する側面及び前記略Ｊ字状内面２４の一部に形成された嵌込板部嵌合凹溝２６と、略Ｊ字状内面２４から枢止部２３の外周面に貫通したスリット２７とを有している。なお、本発明において、前記嵌込板部嵌合凹溝２６は、スライドファスナー１の閉鎖時に嵌込体１０の嵌込板部１１を嵌合させるものであるため、嵌込板部１１の形状に応じて、例えばスライダー保持部２１の嵌込板部１１に対向する側面のみに形成しても良い。
【００３９】
前記スライダー保持部２１は、そのテープ表裏方向における肉厚がスライダー３０内部のエレメント案内路３５の高さよりも小さく、且つ、上下フランジ３２ａ，３２ｂ間の隙間よりも大きく形成されている。また、スライダー保持部２１の嵌込体対向側縁は、その中間部位２１ａが嵌込体１０に向けて僅かに膨出するように湾曲している。更に、スライダー保持部２１は、後述するようにスライダー３０を摺動させて段部２２に衝合させたときに（図２を参照）、スライダー３０のエレメント案内路３５内に挿入されてスライダー３０を保持することができる。
【００４０】
本実施例１において、前記枢止部２３は、段部２２を介してスライダー保持部２１よりも厚肉であり、スライダー保持部２１からテープ端部まで延設され、そのテープ端部から嵌込体１０側に向けて湾曲して形成されているため、正面視にて略Ｊ字形状を有している。また、この枢止部２３は、枢止体２０の側部からが嵌込体１０の被枢止部１２を嵌入することが可能なように上方が開口する枢動空間２８と、この枢動空間２８に嵌入された被枢止部１２を当接させて回転自在に係止可能な略Ｊ字状内面２４とを有している。略Ｊ字状内面２４は、スライダー保持部２１からテープ端部側に延在し、更に嵌込体１０側に向けて湾曲しており、また、略Ｊ字状内面２４の湾曲部における曲率半径が嵌込体１０の被枢止部１２における半径と略等しくなるように形成されている。
【００４１】
更に、枢止部２３の湾曲部側先端２３ａ側には、略Ｊ字状内面２４から枢止部２３の外周面に貫通させたスリット２７が形成されている。このスリット２７のテープ表裏方向における溝幅は、嵌込体１０の嵌込板部１１を挿入可能なように、嵌込板部１１の肉厚よりも大きく設定されている。
【００４２】
次に、上記のような開離嵌挿具５を備えた本実施例１のスライドファスナー１を閉鎖・開離する操作について説明する。
始めに、スライドファスナー１を閉鎖する際に、開離嵌挿具５の嵌込体１０を枢止体２０の側部から嵌め込むことにより同枢止体２０に係止させる第１の係止操作を行う場合について説明する。
【００４３】
この第１の係止操作を行う場合、先ず、図２に示したように、スライダー３０を他方（右側）のファスナーストリンガー６’に装着された枢止体２０に向けて摺動し、下止となる前記段部２２に衝合させる。これにより、スライダー３０はスライダー保持部２１に保持される。なお、図２や後述する図３，５，８等において、スライダー３０は二点鎖線で示されており、枢止体の嵌込板部嵌合凹溝及びスリットが破線で示されている。
【００４４】
次に、一方（左側）のファスナーストリンガー６に装着された嵌込体１０の被枢止部１２を、枢止体２０の側部から、即ち、枢止部２３とスライダー３０との間に形成された隙間を通って、枢止体２０の左側から枢止部２３に向かう右方向に嵌め込むことにより、被枢止部１２を枢止体２０の枢止部２３に案内し、更に、略Ｊ字状内面２４に当接させて係止することができる。このとき、本実施例１のスライドファスナー１においては、嵌込体１０の嵌込板部１１に切欠き部１６が設けられており、また、枢止部２３の湾曲部側先端２３ａ側にスリット２７が設けられている。前記切欠き部１６は、被枢止部１２の左側の領域において、ファスナーテープ２の端部から上方に向けて切り込まれて形成されており、この切欠き部１６の形成領域ではファスナーテープ２も切り取られていて、切欠き部１６内にファスナーテープ２が延在していない状態となっている。このため、嵌込板部１１と枢止部２３とが互いに干渉することなく、被枢止部１２を枢止部２３の側部から円滑に案内することが可能となり、被枢止部１２を枢止部２３に嵌め込む操作を容易に行うことができる。
【００４５】
そして、被枢止部１２を枢止体２０の枢止部２３に係止させた後、被枢止部１２を中心に嵌込体１０を枢止体２０に向けて回動させ、図３に示したように、嵌込体１０の嵌込板部１１をスライダー３０の上下フランジ３２ａ，３２ｂ間に、案内柱３３に当接するまで、或いは、案内柱３３近傍の位置まで挿入する。これにより、左右のファスナーエレメント列４は、安定した噛合が行えるように位置決めされる。
【００４６】
その後、嵌込板部１１を上下フランジ３２ａ，３２ｂ間を通ってエレメント案内路３５に挿入した状態でスライダー３０を上方に摺動させることによって、図４に示したように、嵌込体１０の嵌込板部１１を枢止体２０の嵌込板部嵌合凹溝２６に嵌合させるとともに、左右のファスナーエレメント列４を噛合させて、スライドファスナー１を閉鎖させることができる。
【００４７】
次に、スライドファスナー１を閉鎖する際に、開離嵌挿具５の嵌込体１０をスライダー３０のエレメント案内路３５を介して枢止体２０に挿入することにより同枢止体２０に係止させる第２の係止操作を行う場合について説明する。
この第２の係止操作を行う場合、先ず、前記第１の係止操作と同様に、スライダー３０を右側のファスナーストリンガー６’に装着された枢止体２０に向けて摺動して段部２２に衝合させることにより、スライダー３０がスライダー保持部２１に保持される。このとき、スライダー３０の嵌込体１０側にある上下フランジ３２ａ，３２ｂと枢止体２０のスライダー保持部２１との間には、嵌込体１０の被枢止部１２を挿通可能な空間が形成される（図５を参照）。
【００４８】
続いて、左側のファスナーストリンガー６に装着された嵌込体１０の被枢止部１２をスライダー３０の肩口から挿入する。このとき、図６に示したように、被枢止部１２の肉厚はスライダー３０内部の上翼板３１ａと下翼板３１ｂ間の間隔よりも小さく形成され、更に、嵌込板部１１の肉厚はスライダー３０の上下フランジ３２ａ，３２ｂ間に設けられた隙間の間隔よりも小さく形成されているため、嵌込体１０の被枢止部１２をスライダー３０のエレメント案内路内に容易に挿入することができる。
【００４９】
また、エレメント案内路３５内に挿入された被枢止部１２は、スライダー３０内部で嵌込体１０側の上下フランジ３２ａ，３２ｂと枢止体２０のスライダー保持部２１との間を通過して、枢止体２０の枢止部２３に挿入されて係止される（例えば、図３を参照）。本実施例１では、スライダー保持部２１の中間部位２１ａが前述のように湾曲して形成されているため、被枢止部１２を上下フランジ３２ａ，３２ｂとスライダー保持部２１との間に円滑に通過させて、枢止部２３に安定して挿入することができる。これにより、左右のファスナーエレメント列４は、安定した噛合が行えるように位置決めされる。その後、嵌込体１０の被枢止部１２を枢止体２０の枢止部２３に係止させた後、スライダー３０を上方に摺動させることによって、前記第１の係止操作と同様にしてスライドファスナー１を閉鎖させることができる。
【００５０】
なお、本実施例１において、閉鎖させた状態のスライドファスナー１を開離させるときには、上方に引き上げられているスライダー３０を枢止体２０に向けて摺動して段部２２に衝合させる。続いて、枢止体２０の枢止部２３に係止している嵌込体１０の被枢止部１２を、枢止体２０の湾曲部側先端２３ａとスライダー３０との間に形成された隙間を通過させて枢止体２０の側部から抜脱すること、或いは、スライダー３０の後口からエレメント案内路３５を通過させて抜脱することの異なる２種類の操作の何れかを行うことにより、左右のファスナーストリンガー６，６’を分離させることができる。
【００５１】
特に、本実施例１のスライドファスナー１は、スライダー３０が段部２２に当接した状態であれば、左側のファスナーストリンガー６を右側のファスナーストリンガー６’に対して傾けた状態にすることにより、嵌込体１０の被枢止部１２を枢止体２０の側部から容易に抜脱することができる。このため、被枢止部１２を枢止体２０の側部から抜脱する場合は、スライダー３０のエレメント案内路３５を介して抜脱する場合に比べて、左右のファスナーストリンガー６，６’をより簡便に分離させることができる。
【００５２】
以上のように、本実施例１の開離嵌挿具付きスライドファスナー１は、嵌込体１０を枢止体２０の側部から嵌め込むことにより係止させる第１の係止操作と、嵌込体１０をスライダー３０のエレメント案内路３５を介して枢止体２０に挿入することにより係止させる第２の係止操作とを行うことが可能な構造を有している。このため、スライドファスナー１を閉鎖させる際に、ユーザーがこれらの異なる２つの係止操作を任意に選択することができる。また、本実施例１のスライドファスナー１は、前述のような第１の係止操作を行うことにより、第２の係止操作を行う場合に比べて、スライドファスナー１をより簡単に閉鎖させることができる。
【００５３】
従って、ユーザーが例えば前記第１の係止操作に慣れていない場合であれば、前記第２の係止操作を行うことにより、スライドファスナー１の閉鎖を手間取ることなく、円滑に行うことができる。また、第１の係止操作に慣れてきたときに、第２の係止操作から第１の係止操作に切り替えることにより、スライドファスナー１の閉鎖操作をより簡便に行うことができる。即ち、本実施例１の開離嵌挿具付きスライドファスナー１は、蝶棒等を有する一般的な開離嵌挿具の操作に慣れているユーザーであっても簡単に使いこなすことができ、更に、スライドファスナー１を使い続けて前記第１の係止操作に慣れてきた頃に開離嵌挿具の操作を切り替えることにより、スライドファスナー１の閉鎖や開離をより簡便に行うことができる。従って、本実施例１のスライドファスナー１は、開離嵌挿具の使い易さが大幅に向上して利便性及び操作性に優れおり、誰にでも簡単に使いこなすことができる。
【実施例２】
【００５４】
次に、本発明の実施例２に係る開離嵌挿具付きスライドファスナーについて図面を参照しながら説明する。ここで、図７は、本実施例２に係る開離嵌挿具付きスライドファスナーの開離嵌挿具取付部位の要部を示した斜視図である。なお、本実施例２、及び、後述する実施例３以降の説明において、前記実施例１と同様の構成を有する部材については同じ符号を用いて表しており、これによってその部材の説明を省略することとする。
【００５５】
本実施例２に係る開離嵌挿具付きスライドファスナー４１においては、図７に示したように、左右のファスナーテープ２の下端に対向するように、嵌込体４３と枢止体４４とをファスナーエレメント列４に連続する形で形成された開離嵌挿具４２が設けられている。なお、本実施例２では、嵌込体４３が形成されているファスナーテープ２のテープ端部は前記実施例１のように切り取られておらず、嵌込体４３はファスナーテープ２のテープ端部まで形成されている。
【００５６】
前記嵌込体４３は、ファスナーテープ２の表裏両面に平坦に形成された嵌込板部４５と、円柱状の枢軸１２ａを備えた被枢止部１２と、突条部１３と、噛合部１４と、窪み部１５とを有しているが、嵌込板部４５には、前記実施例１のような切欠き部１６が設けられておらず、嵌込板部４５の後端部に前記枢軸１２ａが形成されている。また、嵌込体４３における嵌込板部４５の肉厚は、スライダー３０の上下フランジ３２ａ，３２ｂ間に設けられた隙間の間隔よりも小さく形成されており、被枢止部１２の肉厚は、スライダー３０内部のエレメント案内路３５の高さ方向の間隔よりも小さく形成されている。
【００５７】
前記枢止体４４は、スライダー保持部２１と、スライダー保持部２１よりも段部２２を介して厚肉に形成された枢止部４６と、補強部２５と、嵌込板部嵌合凹溝２６とを有している。前記枢止部４６は、前記実施例１と同様に正面視にて略Ｊ字形状を有しており、略Ｊ字状内面２４が形成されている。また、この枢止部４６には、略Ｊ字状内面２４から枢止部４６の外周面に貫通させたスリット４７が形成されており、このスリット４７は、枢止部４６の湾曲部側先端４６ａからその湾曲形状に沿って、前記実施例１のスリット２７よりも深く形成されている。
【００５８】
上記のような開離嵌挿具４２を備えた本実施例２のスライドファスナー４１は、前記実施例１と同様に、嵌込体４３の被枢止部１２を枢止体４４の側部から嵌め込む第１の係止操作と、嵌込体４３の被枢止部１２をスライダー３０のエレメント案内路３５を介して枢止体４４に挿入する第２の係止操作とを行うことが可能な構造を有している。
【００５９】
即ち、本実施例２のスライドファスナー４１について、第１の係止操作を行う場合には、スライダー３０を摺動してスライダー保持部２１に保持した後、嵌込体４３の被枢止部１２を枢止体４４の側部から、即ち、枢止部４６の湾曲部側先端４６ａとスライダー３０との間に形成された隙間から枢動空間２８に嵌め込む。これにより、図８に示したように、被枢止部１２を枢止体４４の枢止部４６に案内して係止させる。
【００６０】
このとき、本実施例２のスライドファスナー４１において、嵌込板部４５には前記実施例１のスライドファスナー１のような切欠き部が設けられていないものの、枢止部４６の湾曲部側先端４６ａから湾曲形状に沿ってスリット４７が長く設けられているため、嵌込板部４５及びファスナーテープ２と枢止部４６とが互いに干渉することなく、被枢止部１２の枢軸１２ａを枢止部２３の略Ｊ字状内面２４の湾曲面に容易に嵌め込むことができる。
【００６１】
続いて、枢軸１２ａを中心に嵌込体４３を枢止体４４に向けて回動させ、嵌込板部４５をスライダー３０の上下フランジ３２ａ，３２ｂ間に挿入する。その後、嵌込板部４５を上下フランジ３２ａ，３２ｂ間を通ってエレメント案内路３５に挿入した状態でスライダー３０を上方に摺動させることによって、スライドファスナー４１を閉鎖させることができる。
【００６２】
また、本実施例２のスライドファスナー４１について、第２の係止操作を行う場合には、前記実施例１と同様に、スライダー３０を枢止体４４に向けて摺動してスライダー保持部２１に保持した後、嵌込体４３の枢軸１２ａをスライダー３０の肩口からエレメント案内路３５内に挿入して枢止体４４の枢止部４６に係止させる。その後、スライダー３０を上方に摺動させることによって、スライドファスナー４１を閉鎖させることができる。
【００６３】
なお、本実施例２においても、前述の第１の係止操作を行うことにより、第２の係止操作を行う場合に比べて、スライドファスナー４１をより簡単に閉鎖させることができる。また、本実施例２において、閉鎖させた状態のスライドファスナー４１を開離させるときには、被枢止部１２を枢止体４４の側部から抜脱すること、或いは、被枢止部１２をスライダー３０のエレメント案内路３５を通過させて抜脱することの異なる２種類の操作を行うことにより、左右のファスナーストリンガー６，６’を分離することができる。
【００６４】
従って、本実施例２の開離嵌挿具付きスライドファスナー４１は、前記実施例１と同様に、ユーザーがスライドファスナー４１を閉鎖させる際に異なる２つの第１及び第２の係止操作を任意に選択することができるため、開離嵌挿具４２の使い易さが大幅に向上して利便性及び操作性に優れおり、誰にでも簡単に使いこなすことができる。
【実施例３】
【００６５】
本発明の実施例３に係る開離嵌挿具付きスライドファスナーについて、図面を参照しながら説明する。ここで、図９は、本実施例３に係る開離嵌挿具付きスライドファスナーの開離嵌挿具取付部位の要部を示した斜視図である。
本実施例３に係る開離嵌挿具付きスライドファスナー５１においては、図９に示したように、左右のファスナーテープ２の下端に対向するように、嵌込体５３と枢止体５４とをファスナーエレメント列４に連続する形で形成された開離嵌挿具５２が設けられている。
【００６６】
本実施例３において、前記嵌込体５３の被枢止部５５は、嵌込板部１１からテープ表裏方向に突設された円柱状の枢軸１２ａと、枢軸１２ａの周囲に嵌込板部１１の表裏面と面一に周設された周縁部５６とを有している。また、前記枢止体５４の枢止部５８には、略Ｊ字状内面２４に、嵌込体５３の嵌込板部１１を嵌合可能な嵌込板部嵌合凹溝２６の他に、被枢止部５５の周縁部５６を回転自在に嵌合可能な被枢止部嵌合凹溝５７が、前記嵌込板部嵌合凹溝２６と連続的に形成されている。なお、上記以外の本実施例３の構成については、前記実施例１の開離嵌挿具付きスライドファスナー１の構成と基本的に同じである。
【００６７】
このような本実施例３の開離嵌挿具付きスライドファスナー５１は、前記実施例１と同様に、ユーザーがスライドファスナー５１を閉鎖させる際に異なる２つの第１及び第２の係止操作を任意に選択することができるため、開離嵌挿具５２の使い易さが大幅に向上して利便性及び操作性に優れおり、誰にでも簡単に使いこなすことができる。その上、嵌込体５３の被枢止部５５には周縁部５６が形成され、且つ、枢止体５４には周縁部５６を回転自在に嵌合可能な被枢止部嵌合凹溝５７が形成されているため、第１及び第２の係止操作を行う際に、嵌込体５３を枢止体５４に対して確実に係止させることができ、更に、その係止状態をより安定して維持することができる。
【実施例４】
【００６８】
本発明の実施例４に係る開離嵌挿具付きスライドファスナーについて、図面を参照しながら説明する。ここで、図１０は、本実施例４に係る開離嵌挿具付きスライドファスナーの開離嵌挿具取付部位の要部を示した斜視図である。
本実施例４に係る開離嵌挿具付きスライドファスナー６１においては、図１０に示したように、左右のファスナーテープ２の下端に対向するように、嵌込体６３と枢止体６４とがファスナーエレメント列４に連続する形で形成された開離嵌挿具６２が設けられている。
【００６９】
前記嵌込体６３は、ファスナーテープ２の表裏両面に平坦に形成された嵌込板部６５と、嵌込板部６５の後端部に嵌込板部６５の表裏面と面一に形成された円弧状の被枢止部６６と、突条部１３と、噛合部１４と、窪み部１５とを有している。本実施例４では、嵌込板部６５の肉厚が、スライダー３０の上下フランジ３２ａ，３２ｂ間に設けられた隙間の間隔よりも小さく形成されている。更に、前記被枢止部６６は、嵌込板部６５と同様の肉厚を有しており、被枢止部６６の肉厚がスライダー３０内部のエレメント案内路３５の高さ間隔よりも小さいだけでなく、上下フランジ３２ａ，３２ｂ間に設けられた隙間の間隔よりも小さく形成されている。
【００７０】
また、本実施例４においては、前記実施例１と同様に、嵌込体６３が形成されているファスナーテープ２は、テープ端部側の一部が切り取られており、このファスナーテープ２が切り取られている部位に前記嵌込板部６５が後方に突出するように延設されている。更に、嵌込板部６５には、テープ端部側からテープ内方に向けて切り込まれた切欠き部６７が前記実施例１よりも深く形成されている。
【００７１】
前記枢止体６４は、スライダー保持部２１と、スライダー保持部２１よりも段部２２を介して厚肉に形成された枢止部６８と、補強部２５と、嵌込板部嵌合凹溝２６とを有している。前記枢止部６８は、前記実施例１及び２と同様に正面視で略Ｊ字形状に形成されており、略Ｊ字状内面２４を有している。一方、この枢止部６８には、前記実施例１及び２において形成されているようなスリットが設けられていない。
【００７２】
上記のような開離嵌挿具６２を備えた本実施例４のスライドファスナー６１は、前記実施例１及び２と同様に、嵌込体６３の被枢止部６６を枢止体６４の側部から嵌めこむ第１の係止操作と、嵌込体６３の被枢止部６６をスライダー３０のエレメント案内路３５を介して枢止体６４に挿入する第２の係止操作とを行うことが可能な構造を有している。
【００７３】
即ち、本実施例４のスライドファスナー６１について、第１の係止操作を行う場合には、スライダー３０を摺動してスライダー保持部２１に保持した後、嵌込体６３の被枢止部６６を枢止体６４の側部から嵌めこむことにより枢止部６８の枢動空間２８に案内して、略Ｊ字状内面２４に係止させる。このとき、本実施例４のスライドファスナー６１においては、前記実施例１及び２のようなスリットが枢止部６８に設けられていないものの、嵌込体６３の嵌込板部６５に深い切欠き部６７が形成されているため、嵌込板部６５と枢止部６８とが互いに干渉することなく、被枢止部６６を枢止部６８に容易に嵌入して係止させることができる。
【００７４】
続いて、被枢止部６６を中心に嵌込体６３を枢止体６４に向けて回動させ、嵌込板部６５をスライダー３０の上下フランジ３２ａ，３２ｂ間を通ってエレメント案内路３５に挿入する。その後、嵌込板部６５を上下フランジ３２ａ，３２ｂ間に挿入した状態でスライダー３０を上方に摺動させることによって、スライドファスナー６１を閉鎖させることができる（図１１を参照）。
【００７５】
また、本実施例４のスライドファスナー６１について、第２の係止操作を行う場合には、スライダー３０を摺動してスライダー保持部２１に保持した後、嵌込体６３の被枢止部６６をスライダー３０の肩口からエレメント案内路３５内に挿入して枢止体６４の枢止部６８に係止させる。その後、スライダー３０を上方に摺動させることによって、スライドファスナー６１を閉鎖させることができる。
【００７６】
なお、本実施例４では、嵌込体６３の被枢止部６６は、スライダー３０における上下フランジ３２ａ，３２ｂ間に設けた隙間の間隔よりも小さい肉厚で形成されているため、第１の係止操作を行う際に、被枢止部６６をスライダー３０の肩口からだけでなく、スライダー３０の嵌込体６３側に配した上下フランジ３２ａ，３２ｂ間の隙間からもエレメント案内路３５内に挿入することが可能である。これにより、前記第２の係止操作の操作性をより一層向上させることができる。
【００７７】
以上のように、本実施例４の開離嵌挿具付きスライドファスナー６１も、前記実施例１等と同様に、ユーザーがスライドファスナー６１を閉鎖させる際に異なる２つの第１及び第２の係止操作を任意に選択することができるため、開離嵌挿具６２の使い易さが大幅に向上して利便性及び操作性に優れおり、誰にでも簡単に使いこなすことができる。
【実施例５】
【００７８】
本発明の実施例５に係る開離嵌挿具付きスライドファスナーについて、図面を参照しながら説明する。ここで、図１２は、本実施例５に係る開離嵌挿具付きスライドファスナーの開離嵌挿具取付部位の要部を示した斜視図である。
本実施例５に係る開離嵌挿具付きスライドファスナー７１においては、図１２に示したように、左右のファスナーテープ２の下端に対向するように、嵌込体７３と枢止体７４とをファスナーエレメント列４に連続する形で形成された開離嵌挿具７２が設けられている。
【００７９】
本実施例５の嵌込体７３は、前記実施例４の嵌込体６３と同様の構成を有している。一方、枢止体７４は、スライダー保持部２１と、スライダー保持部２１よりも段部２２を介して厚肉に形成された枢止部７５と、補強部２５と、嵌込板部嵌合凹溝２６とを有している。前記枢止部７５は、外形が略矩形状に形成されており、枢止部７５の内部に、嵌込板部６５及び被枢止部６６を挿入することが可能なスリット７６と、嵌込体７３の被枢止部６６を嵌入することが可能なスリット状の枢動空間２８と、枢動空間２８に嵌入された被枢止部６６を回転自在に係止可能な略Ｊ字状内面２４とを有している。なお、本実施例５では、図１２に示したように、スリット７６と枢動空間２８とが一体的に構成されている。
【００８０】
このような本実施例５の開離嵌挿具付きスライドファスナー７１は、前記実施例１等と同様に、ユーザーがスライドファスナー７１を閉鎖させる際に異なる２つの第１及び第２の係止操作を任意に選択することができるため、開離嵌挿具７２の使い易さが大幅に向上して利便性及び操作性に優れおり、誰にでも簡単に使いこなすことができる。その上、本実施例５のスライドファスナー７１は、嵌込体７３を枢止体７４に係止させる際に、被枢止部６６を枢止部７５内部に形成された枢動空間２８に嵌入して略Ｊ字状内面２４に係止させることができるため、例えばスライドファスナー７１を閉鎖させたときに突き上げ力を受けても、嵌込体７３と枢止体７４との係止状態をより安定して維持することができる。
【図面の簡単な説明】
【００８１】
【図１】実施例１に係る開離嵌挿具付きスライドファスナーの開離嵌挿具取付部位の要部を示した斜視図である。
【図２】同スライドファスナーの第１の係止操作において、嵌込体の枢軸を枢止体の側部から嵌め込むことにより枢止部に係止させたときの状態を模式的に示す正面図である。
【図３】同スライドファスナーの第１の係止操作において、嵌込板部をスライダーの上下フランジ間に挿入したときの状態を模式的に示す正面図である。
【図４】実施例１に係る開離嵌挿具付きスライドファスナーの閉鎖状態を模式的に示す正面図である。
【図５】同スライドファスナーの第２の係止操作において、嵌込体の枢軸をスライダーのエレメント案内路に挿入したときの状態を模式的に示す正面図である。
【図６】図５に示したＶＩ−ＶＩ線の矢視断面図である。
【図７】実施例２に係る開離嵌挿具付きスライドファスナーの開離嵌挿具取付部位の要部を示した斜視図である。
【図８】同スライドファスナーの第１の係止操作において、嵌込体の枢軸を枢止体の側部から嵌め込むことにより枢止部に係止させたときの状態を模式的に示す正面図である。
【図９】実施例３に係る開離嵌挿具付きスライドファスナーの開離嵌挿具取付部位の要部を示した斜視図である。
【図１０】実施例４に係る開離嵌挿具付きスライドファスナーの開離嵌挿具取付部位の要部を示した斜視図である。
【図１１】実施例４に係る開離嵌挿具付きスライドファスナーの閉鎖状態を模式的に示す正面図である。
【図１２】実施例５に係る開離嵌挿具付きスライドファスナーの開離嵌挿具取付部位の要部を示した斜視図である。
【符号の説明】
【００８２】
１                開離嵌挿具付きスライドファスナー
２                ファスナーテープ
３                ファスナーエレメント
４                ファスナーエレメント列
５                開離嵌挿具
６，６’          ファスナーストリンガー
７                芯紐部
１０                嵌込体
１１                嵌込板部
１２                被枢止部
１２ａ              枢軸
１３                突条部
１４                噛合部
１５                窪み部
１６                切欠き部
２０                枢止体
２１                スライダー保持部
２１ａ              中間部位
２２                段部
２３                枢止部
２３ａ              湾曲部側先端
２４                略Ｊ字状内面
２５                補強部
２６                嵌込板部嵌合凹溝
２７                スリット
２８                枢動空間
３０                スライダー
３１ａ              上翼板
３１ｂ              下翼板
３２ａ，３２ｂ      上下フランジ
３３                案内柱
３４                引き手
３５                エレメント案内路
４１                開離嵌挿具付きスライドファスナー
４２                開離嵌挿具
４３                嵌込体
４４                枢止体
４５                嵌込板部
４６                枢止部
４６ａ              湾曲部側先端
４７                スリット
５１                開離嵌挿具付きスライドファスナー
５２                開離嵌挿具
５３                嵌込体
５４                枢止体
５５                被枢止部
５６                周縁部
５７                被枢止部嵌合凹溝
５８                枢止部
６１                開離嵌挿具付きスライドファスナー
６２                開離嵌挿具
６３                嵌込体
６４                枢止体
６５                嵌込板部
６６                被枢止部
６７                切欠き部
６８                枢止部
７１                開離嵌挿具付きスライドファスナー
７２                開離嵌挿具
７３                嵌込体
７４                枢止体
７５                枢止部
７６                スリット
【図１】
2008043568.tif 000003
【図２】
2008043568.tif 000004
【図３】
2008043568.tif 000005
【図４】
2008043568.tif 000006
【図５】
2008043568.tif 000007
【図６】
2008043568.tif 000008
【図７】
2008043568.tif 000009
【図８】
2008043568.tif 000010
【図９】
2008043568.tif 000011
【図１０】
2008043568.tif 000012
【図１１】
2008043568.tif 000013
【図１２】
2008043568.tif 000014